(57)【特許請求の範囲】
【請求項１】
各々が弾性導電コンタクト部を有して第１の方向に配列配置された複数の接続端子の第１の組と各々が弾性導電コンタクト部を有して上記第１の方向に配列配置された複数の接続端子の第２の組とを、上記第１の方向に直交する第２の方向において相互対向させて保持する絶縁ハウジングと、
該絶縁ハウジングの外側に、該絶縁ハウジングによる案内を受けるもとで上記第１の方向に移動可能とされて配される第１のスライダと、
基板差込部が設けられて、上記第１のスライダに上記第１の方向及び上記第２の方向の夫々に直交する第３の方向に移動可能な状態をもって係合し、内側において上記第１及び第２の組を成す複数の接続端子の夫々における弾性導電コンタクト部に当接する第２のスライダと、
を備えて構成され、
上記第１のスライダが、複数の端子部が設けられた基板が上記基板差込部を通じて上記第２のスライダ内における上記第１の組を成す複数の接続端子と上記第２の組を成す複数の接続端子との間に差し込まれたもとで、上記絶縁ハウジングに対して上記第１の方向に移動するとき、上記第２のスライダに、上記第３の方向に移動して、上記第１及び第２の組を成す複数の接続端子の夫々における弾性導電コンタクト部を、弾性変形を生じて上記基板に配された複数の端子部のうちの対応するものに押圧当接する状態もしくは該押圧当接する状態から解放される状態におく、動作位置をとらせるもとで、
上記第１及び第２の組を成す複数の接続端子の夫々が、上記弾性導電コンタクト部が内部に配された函状部を有するものとされ、該函状部に形成された孔部を通じて上記弾性導電コンタクト部が部分的に上記函状部の外部に臨むとともに、上記函状部が上記第１の組を成す複数の接続端子と上記第２の組を成す複数の接続端子との間に差し込まれた上記基板に対する案内を行うことを特徴とする基板コネクタ装置。
【請求項２】
上記第１のスライダ及び上記第２のスライダのうちの一方に所定の方向に伸びる係合溝が設けられるとともに他方に上記係合溝に係合する係合ピンが設けられ、上記第１のスライダが上記第１の方向に移動するとき、上記第２のスライダが上記第３の方向に移動せしめられることを特徴とする請求項１記載の基板コネクタ装置。
【請求項３】
上記第２のスライダの内部に上記第１及び第２の組を成す複数の接続端子の夫々における弾性導電コンタクト部の自由端部もしくは該自由端部の近傍部分に当接するコンタクト当接部が設けられ、該当接部が、上記第２のスライダが上記第３の方向に移動するとき、上記第１及び第２の組を成す複数の接続端子の夫々における弾性導電コンタクト部の自由端部を、上記第２の方向に変位させることを特徴とする請求項１記載の基板コネクタ装置。
【請求項４】
上記コンタクト当接部が、上記第１及び第２の組を成す複数の接続端子の夫々における弾性導電コンタクト部の自由端部を上記第２の方向に変位させることにより、該弾性導電コンタクト部の中間部に、上記基板に配された端子部に押圧当接する状態または該押圧当接する状態から解放される状態をとらせることを特徴とする請求項３記載の基板コネクタ装置。
【請求項５】
上記絶縁ハウジングが、内部において上記第１及び第２の組を成す複数の接続端子の位置決めを行うとともに抜止めの役割りを果たす保持部材を備えることを特徴とする請求項１記載の基板コネクタ装置。
【発明の詳細な説明】
【技術分野】
【０００１】
本願の特許請求の範囲に記載された発明は、カード状に形成される配線基板（以下、カード基板という。）等の基板に設けられた複数の端子部を、複数のケーブルに夫々連結されたもの等とされる複数の接続端子に夫々電気的に接続された状態とするために用いられる、当該複数の接続端子を保持するとともに基板差込部が設けられた基板コネクタ装置に関する。
【背景技術】
【０００２】
電子制御ユニット（ＥＣＵ）等の電子部品もしくは電子機器を構成するカード基板等の基板に配された複数の端子部を、複数のケーブルに夫々連結されたもの等とされる複数の接続端子に電気的に接続するにあたっては、当該複数の接続端子を保持する絶縁ハウジングもしくは絶縁ハウジングに係合した可動部材を備えた基板コネクタ装置が用いられることが多い。このような基板コネクタ装置にあっては、絶縁ハウジングまたは絶縁ハウジングに係合した可動部材に基板差込部が設けられ、基板差込部を通じて差し込まれた状態におかれる基板における複数の端子部に、絶縁ハウジングもしくは絶縁ハウジングに係合した可動部材により保持された複数の接続端子が押圧接触するものとされて、基板に配された複数の端子部についての複数の接続端子との電気的接続がなされる。
【０００３】
上述のような基板コネクタ装置に、カード基板等の基板を、それに配された複数の端子部を複数の接続端子に夫々接続すべく差し込まれた状態におくにあたっては、基板が直接的に基板コネクタ装置に差し込まれる状態、もしくは、基板コネクタ装置が基板に対して移動せしめられて相対的に基板が基板コネクタ装置に差し込まれる状態がとられる。いずれの場合においても、通常、基板の基板コネクタ装置への差込み過程において、複数の接続端子が基板における複数の端子部に押圧接触を開始する状態がとられる。
【０００４】
そのため、基板コネクタ装置に差し込まれる基板もしくは基板に対して移動せしめられる基板コネクタ装置が、複数の接続端子の基板における複数の端子部に対する押圧接触に起因する抵抗力を受け、基板の基板コネクタ装置への差込み、もしくは、基板コネクタ装置の基板に対しての移動に、斯かる抵抗力に打ち勝つだけの比較的大なる操作力が要される。その結果、基板に基板コネクタ装置に差し込まれた状態をとらせるにあたっての作業性の低下や、基板もしくは基板コネクタ装置に加えられる比較的大なる操作力によりもたらされる接続端子の不所望な変形等を生じることになってしまう。
【０００５】
そこで、従来においても、基板に基板コネクタ装置に差し込まれた状態をとらせるにあたって、基板コネクタ装置に差し込まれる基板もしくは基板に対して移動せしめられる基板コネクタ装置が受ける、複数の接続端子の基板における複数の端子部に対する押圧接触に起因する抵抗力を低減できるようにした基板コネクタ装置が提案されている（例えば、特許文献１）。
【０００６】
特許文献１に示される基板コネクタ装置（カードエッジコネクタ）は、各々が複数の接続端子（端子金具）を収容した一対の可動部材（インナーハウジング）が、基板差込部（挿入口）が設けられた筐形の絶縁ハウジング（アウターハウジング）の内部において回動可能に支持されたものとされている。一方、基板（プリント基板）を収容した電子回路筐体には、各々が傾斜面を形成する一対の導入カムが設けられている。そして、基板に基板コネクタ装置に差し込まれた状態をとらせるべく、基板コネクタ装置が基板差込部を通じて差し込まれる基板に対して移動せしめられる際には、その移動の完了直前まで、一対の可動部材が絶縁ハウジングに対して回動自在とされて、各可動部材に収容された複数の接続端子が基板における複数の端子部（端子）に夫々接触する状態におかれ、移動の完了直前に、一対の可動部材の夫々が、基板を収容した電子回路筐体に設けられた導入カムに当接して基板に近接する方向に変位して、複数の接続端子に基板における複数の端子部に対する押圧を開始させ、移動の完了時には、各可動部材に収容された複数の接続端子が基板における複数の端子部に夫々押圧接触する状態におかれる。その結果、基板に対して移動せしめられる基板コネクタ装置は、その移動の完了直前までにおいては、複数の接続端子の基板における複数の端子部に対する押圧接触に起因する抵抗力を殆ど受けない。
【先行技術文献】
【特許文献】
【０００７】
【特許文献１】特開平７−１４２１２８号公報  （３〜５頁、図１〜５）
【発明の概要】
【発明が解決しようとする課題】
【０００８】
上述の特許文献１に示される基板コネクタ装置、即ち、基板差込部（挿入口）が設けられた筐形の絶縁ハウジングと、絶縁ハウジングの内部において回動可能に支持された、各々が複数の接続端子を収容した一対の可動部材とを備えて成り、電子回路筐体内に収容された基板に対して移動せしめられ、電子回路筐体に設けられた各々が傾斜面を形成する一対の導入カムに一対の可動部材を夫々当接させることにより、各可動部材に収容された複数の接続端子を基板における複数の端子部に夫々押圧接触する状態におく基板コネクタ装置にあっては、基板に対して移動せしめられるとき、各可動部材に収容された複数の接続端子が、常時、基板における複数の端子部に接触する状態におかれ、移動の完了直前から複数の接続端子による基板における複数の端子部に対する押圧が開始されて、移動の完了時に、複数の接続端子が基板における複数の端子部に押圧接触する状態におかれる。
【０００９】
それゆえ、基板に対して移動せしめられる基板コネクタ装置に作用する、複数の接続端子の基板における複数の端子部に対する押圧接触に起因する抵抗力は、基板に対する移動の完了直前までは、他の従来知られた基板コネクタ装置の場合に比して低減されたものとなるが、特に、基板に対する移動の完了直前以降においては、比較的大なるものとなってしまい、それゆえ、基板コネクタ装置の基板に対する移動を完了させるにあたって、比較的大なる操作力が要されることになる。
【００１０】
また、特許文献１に示される基板コネクタ装置においては、各可動部材に収容された複数の接続端子が基板における複数の端子部に押圧接触する状態におかれるとき、複数の接続端子に、それらを基板における複数の端子部に押圧接触する状態におくための押圧力が、直接的に加えられるのではなく、可動部材を介して加えられることになる。それゆえ、複数の接続端子が、局部的に、十分な押圧力が加えられない部分を含むことになり、複数の接続端子のうちの一部のものについては、基板における複数の端子部に対する押圧接触が確実に行われないという事態がまねかれる虞がある。
【００１１】
斯かる点に鑑み、本願の特許請求の範囲に記載された発明は、絶縁ハウジングに係合した可動部材に基板差込部が設けられ、基板差込部を通じて差し込まれた状態におかれる基板における複数の端子部の夫々に、絶縁ハウジングにより保持された複数の接続端子の夫々における導電コンタクトが押圧接触するものとされて、基板に配された複数の端子部についての複数の接続端子との電気的接続がなされる基板コネクタ装置であって、基板差込部を通じて基板が差し込まれるにあたり、基板の差込み移動中には、当該基板が複数の接続端子の夫々における導電コンタクトの基板における複数の端子部に対する押圧接触に起因する抵抗力を受けず、基板の差込み移動が完了した後に、複数の接続端子の夫々における導電コンタクトの当該基板における複数の端子部に対する押圧接触が確実に行われることになるものを提供する。
【課題を解決するための手段】
【００１２】
本願の特許請求の範囲における請求項１から請求項５までのいずれかに記載された発明（以下、本発明という。）に係る基板コネクタ装置は、各々が弾性導電コンタクト部を有して第１の方向に配列配置された複数の接続端子の第１の組と各々が弾性導電コンタクト部を有して第１の方向に配列配置された複数の接続端子の第２の組とを、第１の方向に直交する第２の方向において相互対向させて保持する絶縁ハウジングと、絶縁ハウジングの外側に、その絶縁ハウジングによる案内を受けるもとで第１の方向に移動可能とされて配される第１のスライダと、基板差込部が設けられて、第１のスライダに第１の方向及び第２の方向の夫々に直交する第３の方向に移動可能な状態をもって係合し、内側において第１及び第２の組を成す複数の接続端子の弾性導電コンタクト部に当接する第２のスライダと、を備えて構成される。そして、第１のスライダが、基板が基板差込部を通じて第２のスライダ内における第１の組を成す複数の接続端子と第２の組を成す複数の接続端子との間に差し込まれたもとで、絶縁ハウジングに対して第１の方向に移動するとき、第２のスライダに、第３の方向に移動して、第１及び第２の組を成す複数の接続端子の夫々における弾性導電コンタクト部を、弾性変形を生じて基板に配された複数の端子部のうちの対応するものに押圧当接する状態もしくはその押圧当接する状態から解放される状態におく、動作位置をとらせるもとで、第１及び第２の組を成す複数の接続端子の夫々が、弾性導電コンタクト部が内部に配された函状部を有するものとされ、その函状部に形成された孔部を通じて弾性導電コンタクト部が部分的に函状部の外部に臨むとともに、函状部が第１の組を成す複数の接続端子と第２の組を成す複数の接続端子との間に差し込まれた基板に対する案内を行うことを特徴とするものとされる。
【００１３】
特に、本願の特許請求の範囲における請求項３に記載された本発明に係る基板コネクタ装置にあっては、第２のスライダの内部に第１及び第２の組を成す複数の接続端子の夫々における弾性導電コンタクト部の自由端部もしくは自由端部の近傍部分に当接するコンタクト当接部が設けられ、その当接部が、第２のスライダが第３の方向に移動するとき、第１及び第２の組を成す複数の接続端子の夫々における弾性導電コンタクト部の自由端部を、第２の方向に変位させるものとされる。
【００１４】
上述のように構成される本発明に係る基板コネクタ装置にあっては、絶縁ハウジングが、第１の方向に配列配置された複数の接続端子の第１の組と同じく第１の方向に配列配置された複数の接続端子の第２の組とを、絶縁ハウジングの外側に配された第１のスライダに係合した第２のスライダの内部において、第１の方向に直交する第２の方向に相互対向する状態をもって保持しており、第１のスライダが、絶縁ハウジングに対して第１の方向に移動可能とされ、また、第２のスライダが、その内部において第１及び第２の組を成す複数の接続端子の弾性導電コンタクト部に当接したもとで、絶縁ハウジングに対して第１の方向及び第２の方向の夫々に直交する第３の方向に移動可能とされている。そして、複数の接続端子の夫々が、弾性導電コンタクト部が内部に配された函状部を有していて、その函状部に形成された孔部を通じて弾性導電コンタクト部が部分的に函状部の外部に臨むものとされる。
【００１５】
このようなもとで、カード基板等の基板に配された複数の端子部を第１及び第２の組を成す複数の接続端子の弾性導電コンタクト部に電気的に接続するにあたっては、先ず、第２のスライダが、第１の組を成す複数の接続端子と第２の組を成す複数の接続端子とを第２の方向に所定の間隔をおいて相互離隔させる位置に置かれたもとで、基板が第２のスライダに設けられた基板差込部を通じて第２のスライダ内における第１の組を成す複数の接続端子と第２の組を成す複数の接続端子との間に差し込まれる。このとき、第１及び第２の組を成す複数の接続端子の夫々における函状部が、第１の組を成す複数の接続端子と第２の組を成す複数の接続端子との間に差し込まれた基板に対する案内を行い、第１及び第２の組を成す複数の接続端子の弾性導電コンタクト部は、基板に配された複数の端子部に対して非接触状態もしくは実質的に押圧力を作用させない接触状態をとる。
【００１６】
そして、基板の差込み移動が完了した後、第１のスライダが絶縁ハウジングに対して第１の方向において第１の向きに移動せしめられる。それに伴って、第１のスライダに係合した第２のスライダが、第３の方向において絶縁ハウジングに近づく向きに移動せしめられ、第２のスライダの内部において、第１及び第２の組を成す複数の接続端子の夫々における弾性導電コンタクト部が、第２のスライダによって弾性変形を生じるものとされ、基板に配された複数の端子部のうちの対応するものを比較的大なる押圧力をもって押圧し、それにより、基板に配された端子部に確実に押圧当接する状態におかれることになる位置をとるものとされる。その結果、基板に配された複数の端子部が第１及び第２の組を成す複数の接続端子に電気的に接続される。
【００１７】
また、カード基板等の基板に配された複数の端子部が第１及び第２の組を成す複数の接続端子に電気的に接続された状態を解除するにあたっては、第２のスライダが、第１及び第２の組を成す複数の接続端子の弾性導電コンタクト部が基板に配された複数の端子部に夫々押圧当接する状態におかれることになる位置をとるもとで、第１のスライダが絶縁ハウジングに対して第１の方向において第１の向きとは反対の第２の向きに移動せしめられる。それに伴って、第１のスライダに係合した第２のスライダが、第３の方向において絶縁ハウジングから遠ざかる向きに移動せしめられ、第２のスライダの内部において、第１及び第２の組を成す複数の接続端子の夫々における弾性導電コンタクト部が、第２のスライダによる弾性変形から解放されて、基板に配された端子部に押圧当接する状態から解放されることになる位置をとるものとされる。それにより、第１の組を成す複数の接続端子と第２の組を成す複数の接続端子とが、第２の方向に所定の間隔をおいて相互離隔する位置におかれ、複数の接続端子の弾性導電コンタクト部が、基板に配された複数の端子部に対して非接触状態もしくは実質的に押圧力を作用させない接触状態をとるものとされる。
【００１８】
特に、本願の特許請求の範囲における請求項３に記載された本発明に係る基板コネクタ装置においては、第２のスライダがその内部において第１及び第２の組を成す複数の接続端子の弾性導電コンタクト部に当接する状態が、第２のスライダの内部に設けられたコンタクト当接部が第１及び第２の組を成す複数の接続端子の夫々における弾性導電コンタクト部の自由端部もしくは自由端部の近傍部分に当接することにより得られ、第２のスライダが第３の方向に移動するとき、コンタクト当接部が、各弾性導電コンタクト部の自由端部を第２の方向に変位させる。それにより、各弾性導電コンタクト部が、弾性変形を生じた状態もしくは弾性変形から開放された状態におかれる。
【発明の効果】
【００１９】
本発明に係る基板コネクタ装置においては、上述のように、カード基板等の基板に配された複数の端子部を第１及び第２の組を成す複数の接続端子に電気的に接続するにあたって、基板が第２のスライダに設けられた基板差込部を通じて第２のスライダ内における第１の組を成す複数の接続端子と第２の組を成す複数の接続端子との間に差し込まれるとき、第１及び第２の組を成す複数の接続端子の弾性導電コンタクト部は、基板に配された複数の端子部に対して非接触状態もしくは実質的に押圧力を作用させない接触状態におかれる。その結果、基板の差込み移動中には、当該基板が、複数の接続端子の弾性導電コンタクト部が基板における複数の端子部に押圧接触することに起因する抵抗力を受けることがなく、基板の差込みを極めて小なる操作力をもって行うことができる。さらに、複数の接続端子の弾性導電コンタクト部と基板における複数の端子部との接触によるメッキ削れ等の発生を抑制することができる。それに加えて、第１の組を成す複数の接続端子と第２の組を成す複数の接続端子との間に差し込まれる基板は、第１及び第２の組を成す複数の接続端子の夫々における函状部による案内を受けるので、第１の組を成す複数の接続端子と第２の組を成す複数の接続端子との間への差込みが円滑に行われるものとされることになる。
【００２０】
そして、基板の差込みが完了した後において、第１のスライダ及び第２のスライダの夫々の移動により、第１及び第２の組を成す複数の接続端子の夫々における弾性導電コンタクト部が、弾性変形を生じて、基板に配された複数の端子部のうちの対応するものを比較的大なる押圧力をもって押圧する状態におかれる。それにより、複数の接続端子の弾性導電コンタクト部が基板における複数の端子部に対して確実に押圧接触する状態が得られることになる。
【図面の簡単な説明】
【００２１】
【図１】本発明に係る基板コネクタ装置の一例をそれに連結された複数のケーブルと共に示す斜視図である。
【図２】本発明に係る基板コネクタ装置の一例をそれに連結された複数のケーブルと共に示す斜視図である。
【図３】複数のケーブルが連結された本発明に係る基板コネクタ装置の一例についての分解斜視図である。
【図４】本発明に係る基板コネクタ装置の一例を構成する接続端子とケーブルとの連結状態を示す斜視図である。
【図５】複数のケーブルが連結された本発明に係る基板コネクタ装置の一例についての断面構造を示す斜視図である。
【図６】本発明に係る基板コネクタ装置の一例をそれに連結された複数のケーブル及びそれに差し込まれる基板を内蔵した電子部品の部分と共に示す斜視図である。
【図７】本発明に係る基板コネクタ装置の一例をそれに連結された複数のケーブル及びそれに差し込まれる基板を内蔵した電子部品の部分と共に示す断面図である。
【図８】本発明に係る基板コネクタ装置の一例をそれに連結された複数のケーブル及びそれに差し込まれた基板を内蔵した電子部品の部分と共に示す斜視図である。
【図９】本発明に係る基板コネクタ装置の一例をそれに連結された複数のケーブル及びそれに差し込まれた基板を内蔵した電子部品の部分と共に示す断面図である。
【図１０】本発明に係る基板コネクタ装置の一例をそれに連結された複数のケーブル及びそれに差し込まれた基板を内蔵する電子部品の部分と共に示す斜視図である。
【図１１】本発明に係る基板コネクタ装置の一例をそれに連結された複数のケーブル及びそれに差し込まれた基板を内蔵する電子部品の部分と共に示す断面図である。
【発明を実施するための形態】
【００２２】
本発明を実施するための形態は、以下に述べられる本発明についての実施例をもって説明される。
【実施例】
【００２３】
図１（斜視図），図２（斜視図）及び図３（分解斜視図）は、本発明に係る基板コネクタ装置の一例をそれに連結された複数のケーブルと共に示す。
【００２４】
図１，図２及び図３において、本発明に係る基板コネクタ装置の一例を成す基板コネクタ装置１０は、合成樹脂等の絶縁材料によって形成された絶縁ハウジング１１を備えており、絶縁ハウジング１１は、その内部において、複数のケーブル１２Ａに夫々連結されたもとで、絶縁ハウジング１１の長手方向である第１の方向に配列配置された複数の接続端子１３Ａの組（第１の組）と、同じく複数のケーブル１２Ｂに夫々連結されたもとで第１の方向に配列配置された複数の接続端子１３Ｂの組（第２の組）とを、第１の方向に直交する第２の方向において相互対向させて保持している。絶縁ハウジング１１による複数の接続端子１３Ａの組及び複数の接続端子１３Ｂの組の保持は、全体としてコ字状に形成されて第１の方向に伸び、複数の接続端子１３Ａ及び複数の接続端子１３Ｂについての位置決めを行うとともに抜止めの役割を果たす保持部材であるリテーナ１４を介して行われる。
【００２５】
複数の接続端子１３Ａ及び１３Ｂの夫々は、図４に示されるように、函状部１３０とそれから伸びる“かしめ”部１３１及び係合保持部１３２とが設けられたものとされており、函状部１３０の内部には弾性導電コンタクト部１３３が配されている。そして、図５に示されるように、弾性導電コンタクト部１３３の中間部１３３ａが、函状部１３０に形成された孔部１３０ａを通じて函状部１３０の外部に臨んでいる。接続端子１３Ａもしくは１３Ｂのケーブル１２Ａもしくは１２Ｂとの連結は、図４に示されるようにしてなされる。図４においては、ケーブル１２Ａもしくは１２Ｂは、芯線導体１２１が絶縁被覆１２２によって覆われて構成されている。ケーブル１２Ａもしくは１２Ｂの一端部においては、絶縁被覆１２２が部分的に除去されて芯線導体１２１が露出する状態がとられる。そして、接続端子１３Ａもしくは１３Ｂに設けられた“かしめ”部１３１が、ケーブル１２Ａもしくは１２Ｂにおける露出した芯線導体１２１に“かしめ”接続されて、芯線導体１２１が接続端子１３Ａもしくは１３Ｂに電気的に接続される。また、接続端子１３Ａもしくは１３Ｂに設けられた係合保持部１３２が、ケーブル１２Ａもしくは１２Ｂにおける絶縁被覆１２２にその外側から巻き付くようにして係合し、接続端子１３Ａもしくは１３Ｂを、その“かしめ”部１３１にケーブル１２Ａもしくは１２Ｂの芯線導体１２１に“かしめ”接続された状態を維持させるべく保持する。
【００２６】
絶縁ハウジング１１の外側には、第１のスライダ１５が配されている。第１のスライダ１５には、各々が第１の方向に伸びるスリット１６及び１７が形成されていて、スリット１６には、絶縁ハウジング１１に設けられた一対の係合突起部１８がスリット１６内において第１の方向に移動可能に係合しており、また、スリット１７には、絶縁ハウジング１１に設けられた一対の係合突起部１９がスリット１７内において第１の方向に移動可能に係合している。それにより、第１のスライダ１５は、スリット１６と一対の係合突起部１８との係合による案内及びスリット１７と一対の係合突起部１９との係合による案内、即ち、絶縁ハウジング１１による案内を受けるもとで、絶縁ハウジング１１に対して第１の方向に移動可能とされている。
【００２７】
第１のスライダ１５には、第２のスライダ２０が、第１のスライダ１５に対して上述の第１の方向及び第２の方向の夫々に直交する第３の方向、即ち、複数のケーブル１２Ａ及び複数のケーブル１２Ｂに対して近接もしくは離隔する方向における移動が可能とされて係合している。第２のスライダ２０には、一対の係合ピン２１及び一対の係合ピン２２が外方に突出するものとして設けられている。一対の係合ピン２１は第１のスライダ１５に設けられた一対の係合溝２３に夫々係合しており、各係合ピン２１は、それが係合する係合溝２３内において係合溝２３に沿った移動が可能とされている。また、一対の係合ピン２２は第１のスライダ１５に設けられた一対の係合溝２４に夫々係合しており、各係合ピン２２は、それが係合する係合溝２４内において係合溝２４に沿った移動が可能とされている。
【００２８】
一対の係合溝２３の夫々は、第１の方向に伸びる部分とそれに連なる第１の方向に対して所定の角度を成す斜め方向に伸びる部分とを有しており、また、一対の係合溝２４の夫々も、係合溝２３と同様に、第１の方向に伸びる部分とそれに連なる第１の方向に対して所定の角度を成す斜め方向に伸びる部分とを有している。それにより、係合溝２３に係合する係合ピン２１及び係合溝２４に係合する係合ピン２２の各々は、係合溝２３及び係合溝２４の夫々に沿って、第１の方向及び第３の方向に移動可能とされている。
【００２９】
このように、一対の係合ピン２１が一対の係合溝２３に夫々係合しているとともに、一対の係合ピン２２が一対の係合溝２４に夫々係合していることにより、第１のスライダ１５が絶縁ハウジング１１に対して第１の方向に移動するとき、第２のスライダ２０は、係合ピン２１の係合溝２３との係合による案合及び係合ピン２２の係合溝２４との係合による案合を受けるもとで、絶縁ハウジング１１及び第１のスライダ１５に対して第３の方向に移動するものとなる。
【００３０】
また、第２のスライダ２０には、その正面側端面部２６に、第１の方向に伸びる開口部を形成する基板差込部２７が設けられている。この基板差込部２７を通じて、カード基板等の基板が基板コネクタ装置１０に差し込まれる。
【００３１】
図５に示されるように、複数のケーブル１２Ａに夫々連結されたもとで絶縁ハウジング１１により保持された第１の組を成す複数の接続端子１３Ａの夫々と、複数のケーブル１２Ｂに夫々連結されたもとで絶縁ハウジング１１により保持された第２の組を成す複数の接続端子１３Ｂの夫々とは、第２のスライダ２０の内部において、予め設定された所定の間隔をおいて相互対向する状態におかれている。斯かるもとでは、各接続端子１３Ａにおける弾性導電コンタクト部１３３と各接続端子１３Ｂにおける弾性導電コンタクト部１３３とが、各々の中間部１３３ａを所定の間隔をおいて相互対向させる位置に配されている。各接続端子１３Ａにおける弾性導電コンタクト部１３３の中間部１３３ａ及び各接続端子１３Ｂにおける弾性導電コンタクト部１３３の中間部１３３ａは、後述されるように、各弾性導電コンタクト部１３３の基板における端子部に当接する部分を形成している。
【００３２】
そして、図５に示されるように、第２のスライダ２０には、その内部に、各々が接続端子１３Ａにおける弾性導電コンタクト部１３３の自由端部１３３ｂもしくは自由端部１３３ｂ近傍部分に当接する複数のコンタクト当接部２８Ａが第１の方向に配列配置されて設けられているとともに、各々が接続端子１３Ｂにおける弾性導電コンタクト部１３３の自由端部１３３ｂもしくは自由端部１３３ｂ近傍部分に当接する複数のコンタクト当接部２８Ｂが第１の方向に配列配置されて設けられている．
【００３３】
上述のように構成される基板コネクタ装置１０には、図６及び図７に示されるように、第２のスライダ２０の正面側端面部２６に対して、例えば、電子部品である電子制御ユニット３０が対向配置され、その後、電子制御ユニット３０が備えるカード基板を形成する基板３１が、第２のスライダにおける正面側端面部２６に設けられた基板差込部２７を通じて差し込まれる。
【００３４】
図６及び図７に示される電子制御ユニット３０は、開口部３２を有した筐体３３を備えていて、基板３１を含む各部が筐体３３内に収容されている。そして、基板３１は、その一端部に複数の端子部が配列配置されて設けられたものとされており、その複数の端子部が配列配置されて設けられた一端部が、筐体３３に設けられた開口部３２を通じて外部に臨んでいる。基板３１の一端部に配列配置されて設けられた複数の端子部は、従来知られた一般的な態様をとるものであり、それらの図示は省略される。
【００３５】
また、電子制御ユニット３０の筐体３３には、図６及び図７に示される状態のもとで上方側となる外面から突出する一対の突起３４と、図６及び図７に示される状態のもとで下方側となる外面から突出する一対の突起３５とが、設けられている。
【００３６】
図６及び図７に示されるように、相互対向するものとされた基板コネクタ装置１０及び電子制御ユニット３０は、その後、図８及び図９に示されるように、基板コネクタ装置１０において、第２のスライダ２０に設けられた一対の係合ピン２１の夫々が、第１のスライダ１５に設けられた係合溝２３の夫々における第１の方向に伸びる部分に係合する状態をとるとともに、第２のスライダ２０に設けられた一対の係合ピン２２の夫々が、第１のスライダ１５に設けられた係合溝２４の夫々における第１の方向に伸びる部分に係合する状態をとるもとで、基板コネクタ装置１０の第２のスライダ２０が、電子制御ユニット３０の筐体３３内に、筐体３３に設けられた開口部３２を通じて挿入される状態をもって、相互係合せしめられる。その際、電子制御ユニット３０の筐体３３に設けられた一対の突起３４が、基板コネクタ装置１０の第１のスライダ１５に設けられた一対の溝３６に夫々係合し、また、電子制御ユニット３０の筐体３３に設けられた一対の突起３５が、基板コネクタ装置１０の第１のスライダ１５に設けられた一対の溝３７に夫々係合する。それにより、基板コネクタ装置１０と電子制御ユニット３０との相互に接近する移動が、突起３４及び溝３６と突起３５及び溝３７とによる案内を受けるもとで行われる。
【００３７】
そして、このとき、図９に示されるように、電子制御ユニット３０が備える基板３１における複数の端子部が配列配置されて設けられた一端部が、基板コネクタ装置１０の第２のスライダ２０に設けられた基板差込部２７を通じて第２のスライダ２０の内部に差し込まれ、所定の間隔をおいて相互対向する状態におかれた第１の組を成す複数の接続端子１３Ａの夫々と第２の組を成す複数の接続端子１３Ｂの夫々との間、さらに詳細には、各接続端子１３Ａにおける弾性導電コンタクト部１３３の中間部１３３ａと各接続端子１３Ｂにおける弾性導電コンタクト部１３３の中間部１３３ａとの間に配される。このとき、複数の接続端子１３Ａの夫々における函状部１３０及び複数の接続端子１３Ｂの夫々における函状部１３０が、基板３１の一端部に対する案内を行う。斯かるもとにあっては、各接続端子１３Ａにおける弾性導電コンタクト部１３３及び各接続端子１３Ｂにおける弾性導電コンタクト部１３３は、各々の中間部１３３ａに、基板３１における複数の端子部のうちの対応するものに対して非接触となる状態、もしくは、実質的に押圧力を作用させない接触状態をとらせる。
【００３８】
続いて、各接続端子１３Ａにおける弾性導電コンタクト部１３３及び各接続端子１３Ｂにおける弾性導電コンタクト部１３３の各々の中間部１３３ａに、基板３１における複数の端子部のうちの対応するものに対する押圧当接状態をとらせるべく、図１０及び図１１に示されるように、第１のスライダ１５が、絶縁ハウジング１１に対し、第１の方向において図８に示される基板コネクタ装置１０における右下から左上に向う向きをもって移動せしめられる。このとき、第２のスライダ２０に設けられた一対の係合ピン２１の夫々が、第１のスライダ１５に設けられた係合溝２３の夫々における第１の方向に伸びる部分からそれに連なる第１の方向に対して所定の角度を成す斜め方向に伸びる部分の端部へと、係合溝２３に対する係合位置を当該斜め方向に伸びる部分に沿って変化させるとともに、第２のスライダ２０に設けられた一対の係合ピン２２の夫々が、第１のスライダ１５に設けられた係合溝２４の夫々における第１の方向に伸びる部分からそれに連なる第１の方向に対して所定の角度を成す斜め方向に伸びる部分の端部へと、係合溝２４に対する係合位置を当該斜め方向に伸びる部分に沿って変化させる。また、電子制御ユニット３０の筐体３３に設けられた一対の突起３４の夫々が、第１のスライダ１５に設けられた溝３６の夫々における第１の方向に伸びる部分の端部へと、溝３６に対する係合位置を変化させるとともに、電子制御ユニット３０の筐体３３に設けられた一対の突起３５の夫々が、第１のスライダ１５に設けられた溝３７の夫々における第１の方向に伸びる部分の端部へと、溝３７に対する係合位置を変化させる。
【００３９】
それに伴って、電子制御ユニット３０の筐体３３内に挿入された第２のスライダ２０が、第１のスライダ１５に設けられた係合溝２３及びそれに係合する係合ピン２１と第１のスライダ１５に設けられた係合溝２４及びそれに係合する係合ピン２２とによる案内を受けるもとで、第３の方向において複数のケーブル１２Ａ及び１２Ｂに近づく向きをもって移動する。このとき、図１１に示されるように、第２のスライダ２０の内部に設けられた複数のコンタクト当接部２８Ａの夫々が、第１の組を成す複数の接続端子１３Ａの夫々における弾性導電コンタクト部１３３の自由端部１３３ｂを、第３の方向において基板３１に近づく向きをもって変位させ、また、第２のスライダ２０の内部に設けられた複数のコンタクト当接部２８Ｂの夫々が、第２の組を成す複数の接続端子１３Ｂの夫々における弾性導電コンタクト部１３３の自由端部１３３ｂを、第３の方向において基板３１に近づく向きをもって変位させる。
【００４０】
それにより、第１の組を成す複数の接続端子１３Ａの夫々における弾性導電コンタクト部１３３が弾性変形を生じて、その中間部１３３ａに、基板３１における複数の端子部のうちの対応するものに対する押圧当接状態をとらせ、また、第２の組を成す複数の接続端子１３Ｂの夫々における弾性導電コンタクト部１３３が弾性変形を生じて、その中間部１３３ａに、基板３１における複数の端子部のうちの対応するものに対する押圧当接状態をとらせる。斯かる各弾性導電コンタクト部１３３の中間部１３３ａの基板３１における端子部に対する押圧当接は、各弾性導電コンタクト部１３３の弾性変形により生じる弾性力が比較的大なる押圧力として作用するもとで行われるので、確実かつ安定に行われる。
【００４１】
その結果、基板３１に配された複数の端子部が、基板コネクタ装置１０における第１及び第２の組を成す複数の接続端子１３Ａ及び１３Ｂとの電気的接続が確実になされた状態におかれる。
【００４２】
その後、各接続端子１３Ａにおける弾性導電コンタクト部１３３及び各接続端子１３Ｂにおける弾性導電コンタクト部１３３の各々の中間部１３３ａが、基板３１における複数の端子部のうちの対応するものに対する押圧当接状態をとるもとで、第１のスライダ１５が、絶縁ハウジング１１に対し、第１の方向において図１０に示される基板コネクタ装置１０における左上から右下に向う向きをもって移動せしめられると、第２のスライダ２０に設けられた一対の係合ピン２１の夫々が、第１のスライダ１５に設けられた係合溝２３の夫々における第１の方向に対して所定の角度を成す斜め方向に伸びる部分の端部から第１の方向に伸びる部分へと、係合溝２３に対する係合位置を当該斜め方向に伸びる部分に沿って変化させるとともに、第２のスライダ２０に設けられた一対の係合ピン２２の夫々が、第１のスライダ１５に設けられた係合溝２４の夫々における第１の方向に対して所定の角度を成す斜め方向に伸びる部分の端部から第１の方向に伸びる部分へと、係合溝２４に対する係合位置を当該斜め方向に伸びる部分に沿って変化させる。また、電子制御ユニット３０の筐体３３に設けられた一対の突起３４の夫々が、第１のスライダ１５に設けられた溝３６の夫々における第１の方向に伸びる部分との係合位置を変化させるとともに、電子制御ユニット３０の筐体３３に設けられた一対の突起３５の夫々が、第１のスライダ１５に設けられた溝３７の夫々における第１の方向に伸びる部分との係合位置を変化させる。
【００４３】
それに伴って、電子制御ユニット３０の筐体３３内に挿入された第２のスライダ２０が、第１のスライダ１５に設けられた係合溝２３及びそれに係合する係合ピン２１と第１のスライダ１５に設けられた係合溝２４及びそれに係合する係合ピン２２とによる案内を受けるもとで、第３の方向において複数のケーブル１２Ａ及び１２Ｂから遠ざかる向きをもって移動する。このとき、第２のスライダ２０の内部に設けられた複数のコンタクト当接部２８Ａの夫々が、第１の組を成す複数の接続端子１３Ａの夫々における弾性導電コンタクト部１３３の自由端部１３３ｂを、第３の方向において基板３１から遠ざかる向きをもって変位させ、また、第２のスライダ２０の内部に設けられた複数のコンタクト当接部２８Ｂの夫々が、第２の組を成す複数の接続端子１３Ｂの夫々における弾性導電コンタクト部１３３の自由端部１３３ｂを、第３の方向において基板３１から遠ざかる向きをもって変位させる。
【００４４】
それにより、第１の組を成す複数の接続端子１３Ａの夫々における弾性導電コンタクト部１３３が弾性変形から解放されて、その中間部１３３ａに、基板３１における複数の端子部のうちの対応するものに対して非接触となる状態、もしくは、実質的に押圧力を作用させない接触状態をとらせ、また、第２の組を成す複数の接続端子１３Ｂの夫々における弾性導電コンタクト部１３３が弾性変形から解放されて、その中間部１３３ａに、基板３１における複数の端子部のうちの対応するものに対して非接触となる状態、もしくは、実質的に押圧力を作用させない接触状態をとらせる。
【００４５】
そして、電子制御ユニット３０が、基板コネクタ装置１０との係合状態を解除することができる状態におかれる。
【００４６】
上述のような基板コネクタ装置１０によれば、基板３１に配された複数の端子部を第１及び第２の組を成す複数の接続端子１３Ａ及び１３Ｂに電気的に接続するにあたって、基板３１が、第２のスライダ２０に設けられた基板差込部２７を通じて、第２のスライダ２０内における第１の組を成す複数の接続端子１３Ａと第２の組を成す複数の接続端子１３Ｂとの間に差し込まれるとき、第１及び第２の組を成す複数の接続端子１３Ａ及び１３Ｂの弾性導電コンタクト部１３３は、基板３１に配された複数の端子部に対して非接触状態もしくは実質的に押圧力を作用させない接触状態におかれる。その結果、基板３１の差込み移動中には、当該基板３１が、複数の接続端子１３Ａ及び１３Ｂの弾性導電コンタクト部１３３が基板３１における複数の端子部に押圧接触することに起因する抵抗力を受けることがなく、基板３１の差込みを極めて小なる操作力をもって行うことができる。
【００４７】
そして、基板３１の差込みが完了した後において、第１のスライダ１５及び第２のスライダ２０の夫々の移動により、第１及び第２の組を成す複数の接続端子１３Ａ及び１３Ｂの夫々における弾性導電コンタクト部１３３が、弾性変形を生じて、基板３１に配された複数の端子部のうちの対応するものを比較的大なる押圧力をもって押圧する状態におかれる。それにより、複数の接続端子１３Ａ及び１３Ｂの弾性導電コンタクト部１３３が基板３１における複数の端子部に対して確実に押圧接触する状態が得られることになる。
【産業上の利用可能性】
【００４８】
以上のような本発明に係る基板コネクタ装置は、カード基板等の基板に配された複数の端子部を基板コネクタ装置における複数の接続端子に電気的に接続するにあたり、基板の基板コネクタ装置への差込みを極めて小なる操作力をもって行うことができ、かつ、複数の接続端子が基板における複数の端子部に対して確実に押圧接触する状態が得られるものとして、様々な電子機器等に広く適用され得るものである。
【符号の説明】
【００４９】
１０・・・基板コネクタ装置，  １１・・・絶縁ハウジング，  １２Ａ，１２Ｂ・・・ケーブル，  １３Ａ，１３Ｂ・・・接続端子，  １４・・・リテーナ，  １５・・・第１のスライダ，  １６，１７・・・スリット，  １８，１９・・・係合突起部，  ２０・・・第２のスライダ，  ２１，２２・・・係合ピン，  ２３，２４・・・係合溝，  ２７・・・基板差込部，  ２８Ａ，２８Ｂ・・・コンタクト当接部，  ３０・・・電子制御ユニット，  ３２・・・開口部，  ３３・・・筐体，  １３０・・・函状部， １３０ａ・・・孔部
【図１】
0005472608.tif 000002
【図２】
0005472608.tif 000003
【図３】
0005472608.tif 000004
【図４】
0005472608.tif 000005
【図５】
0005472608.tif 000006
【図６】
0005472608.tif 000007
【図７】
0005472608.tif 000008
【図８】
0005472608.tif 000009
【図９】
0005472608.tif 000010
【図１０】
0005472608.tif 000011
【図１１】
0005472608.tif 000012